(57)【特許請求の範囲】
【請求項１】
絶縁ハウジングとの固定部から片持ち状に延出して互いに対向するように配置された一対のコンタクトを備え、それら一対のコンタクトの先端部分に設けられた接点部同士が接触するように配置されたものであって、
前記絶縁ハウジングに設けられた挿入穴を通して挿入された相手コネクタの押圧力により、前記一対のコンタクトのうちの一方のコンタクトが押圧方向に移動して他方のコンタクトから離間されるように構成されたスイッチ付同軸コネクタにおいて、
前記一対のコンタクトの双方が、前記固定部から片持ち状に延出する可撓性の弾性アーム部を備えたものであって、
前記一対のコンタクトのうち少なくとも一方のコンタクトにおける前記弾性アーム部が、前記相手コネクタの挿入方向に向かって折れ曲げられたクランク部を有しているとともに、
前記接点部を有する前記一対のコンタクトの先端部分が、互いに略平行となるように延在し、かつ
前記一方のコンタクトの前記弾性アーム部には、前記相手コネクタが接触する部位に貫通孔が形成され、
その貫通孔が前記相手コネクタに対面している側の開口部を形成している内周縁部には、傾斜面を有する面取り部が設けられていることを特徴とするスイッチ付同軸コネクタ。
【請求項２】
前記接点部を有する前記一対のコンタクトの先端部分は、当該一対のコンタクト同士が対向する方向に対して傾斜する方向に延在していることを特徴とする請求項１記載のスイッチ付同軸コネクタ。
【請求項３】
前記一対のコンタクトに設けられた接点部の一方が、他方に向かって突出するように形成されていることを特徴とする請求項１記載のスイッチ付同軸コネクタ。
【請求項４】
前記貫通孔が、前記弾性アーム部の長手方向に沿って延在する長孔形状をなすように形成されていることを特徴とする請求項１記載のスイッチ付同軸コネクタ。
【発明の詳細な説明】
【技術分野】
【０００１】
本発明は、相手コネクタが嵌合されることによって離間状態になされる一対のコンタクトを備えたスイッチ付同軸コネクタに関する。
【背景技術】
【０００２】
一般に、携帯電話などのような電子機器又は電気機器にスイッチ付同軸コネクタが用いられている。このスイッチ付同軸コネクタは、例えば、機器内に設けられた高周波回路等の各種電子回路の状態や性能を検査するための小型回路検査スイッチなどとして用いられるものであるが、下記の特許文献１及び２等に開示された回路検査スイッチは、機器本体の電子回路を分断するように回路基板上に実装されたスイッチ付同軸コネクタからなるものであって、当該スイッチ付同軸コネクタに設けられた相手挿入穴を通して、相手コネクタとして検査用プラグコネクタのプローブ（検査針）が、上方側から内部に挿入される構成になされている。
【０００３】
このようなスイッチ付同軸コネクタでは、絶縁ハウジングの外方側に、グランド接続用の導電性シェルが取り付けられており、その導電性シェルから一体的に突出する複数の基板接続部が、図示を省略した配線基板上の導電路に半田接合されることにより実装が行われて使用される構成になされている。このときの前記絶縁ハウジングの内部には、信号伝送用の可動コンタクトと固定コンタクトとからなるコンタクト対が取り付けられていて、それら一対の可動コンタクト及び固定コンタクトが、機器本体に設けられた電子回路（図示省略）の一方側及び他方側にそれぞれ接続されている。
【０００４】
そして、そのスイッチ付同軸コネクタに対して、上方側から挿入された検査用プラグコネクタのプローブ（検査針）の先端部分が、略水平面内で揺動する前記可動コンタクトの自由端部分を押し開くように圧接し、それによって可動コンタクトが揺動して固定コンタクトから離間されて本来の電子回路が分断される。また、それと同時に、可動コンタクト１がプローブの下端部分に接触し、それによって機器本体の他の電子回路にプローブが導通状態となり、当該プローブを通して、電子回路からの電気信号が外部に取り出されることにより、例えば適宜の検査が実行されるようになっている。
【０００５】
しかしながら、このような従来のスイッチ付同軸コネクタにおいては、検査用プラグコネクタのプローブ（検査針）が繰り返し挿入されるなどによって、コンタクトに永久変形を生じるおそれがあり、使用耐久性に問題がある。使用耐久性を向上させるため、コンタクトのスパンを水平方向又は垂直方向に長くすることによって弾性を高める手段も考えられているが、単にコンタクトを長くしただけでは、コネクタ全体が大型化してしまい、近年の小型化や低背化の要請に反することとなる。また、使用雰囲気中に存在する微小ゴミや絶縁物等の塵埃が、検査用プラグコネクタのプローブ（検査針）の挿入穴を通して内部に侵入し、電気的な接続不良を発生させるおそれがあるという問題もある。特に、一方のコンタクトが固定状態にあってコンタクト同士の摺動性が小さいことから、コンタクトの表面に付着した塵埃の除去作用が十分に得られず、接続不良状態に移行しやすい傾向がある。
【先行技術文献】
【特許文献】
【０００６】
【特許文献１】特開平０９−２４５９０７号公報
【特許文献２】特開２００２−３５９０３９号公報
【発明の概要】
【発明が解決しようとする課題】
【０００７】
そこで本発明は、簡易な構成で、大型化を回避しつつ、使用耐久性を高めるとともに、内部に侵入した塵埃による電気的な接続不良の発生を良好に防止することができるようにしたスイッチ付同軸コネクタを提供することを目的とする。
【課題を解決するための手段】
【０００８】
上記目的を達成するため本発明では、絶縁ハウジングとの固定部から片持ち状に延出して互いに対向するように配置された一対のコンタクトを備え、それら一対のコンタクトの先端部分に設けられた接点部同士が接触するように配置されたものであって、前記絶縁ハウジングに設けられた挿入穴を通して挿入された相手コネクタの押圧力により、前記一対のコンタクトのうちの一方のコンタクトが押圧方向に移動して他方のコンタクトから離間されるように構成されたスイッチ付同軸コネクタにおいて、前記一対のコンタクトの双方が、前記固定部から片持ち状に延出する可撓性の弾性ビーム状部材を備えたものであって、前記一対のコンタクトのうち少なくとも一方のコンタクトにおける前記弾性ビーム状部材が、前記相手コネクタの挿入方向に向かって折れ曲げられたクランク部を有しているとともに、前記接点部を有する前記一対のコンタクトの先端部分は、当該一対のコンタクト同士が対向する方向に対して傾斜する方向において略平行に延在し、かつ前記一方のコンタクトの前記弾性アーム部には、相手コネクタが接触する部位に貫通孔が形成され、その貫通孔が前記相手コネクタに対面している側の開口部を形成している内周縁部には、傾斜面を有する面取り部を設けられた構成が採用されている。
【０００９】
このような構成からなるスイッチ付同軸コネクタによれば、可撓性を有する双方のコンタクトのうちの少なくとも一方のコンタクトに設けられたクランク部によって、相手コネクタの押圧力に対するコンタクトの弾性が高められており、さらに接点部を有する一対のコンタクトの先端部分が略平行に延在しているため、当該接点部同士が接触する際における両者の摺動距離が長く保持され、両接点部同士が擦れ合うときの掻き落とし作用により導電性を保持する、いわゆるワイピング作用が良好に確保され、接点部における清浄性が向上される。
さらに、このような構成からなるスイッチ付同軸コネクタによれば、一方のコンタクト上に落下したゴミ等の塵埃が、貫通穴の傾斜面取り部から当該貫通孔を通して外方に排出されるとともに、相手コネクタに対して貫通穴の内周縁部が、当該貫通穴の対角線方向の両側から接触することとなり、相手コネクタとコンタクトとの接触性が高められる。
【００１０】
また、本発明において、前記接点部を有する前記一対のコンタクトの先端部分は、当該一対のコンタクト同士が対向する方向に対して傾斜する方向に延在していることが望ましい。
【００１１】
このような構成からなるスイッチ付同軸コネクタによれば、接点部を有するコンタクトの先端部分において発生又は付着したゴミ等の塵埃が、傾斜面に沿って移動しやすくなることから、接点部の接続性を害する塵埃の滞留状態が低減される。
【００１２】
また、本発明においては、前記一対のコンタクトに設けられた接点部の一方が、他方に向かって突出するように形成されていることが望ましい。
【００１３】
このような構成からなるスイッチ付同軸コネクタによれば、両接点部同士が擦れ合うときの掻き落とし作用が強化され、いわゆるワイピング作用が更に高められる。
【００１６】
また、本発明における前記貫通孔は、前記弾性ビーム状部材の長手方向に沿って延在する長孔形状をなすように形成されていることが望ましい。
【００１７】
このような構成からなるスイッチ付同軸コネクタによれば、弾性ビーム状部材の弾性領域が長孔形状を有する貫通孔に沿って拡張されるため、変位時の弾性応力が分散されて使用耐久性が高められる。
【発明の効果】
【００１８】
以上述べたように本発明にかかるスイッチ付同軸コネクタは、絶縁ハウジングから片持ち状に延出して対向する一対のコンタクトのうち少なくとも一方の弾性ビーム状部材にクランク部を設けて双方のコンタクトの可撓性を確保する一方、接点部を有するコンタクトの先端部分を略平行に延在させることによって接点部同士が接触した際における両者の摺動距離を長くし、両接点部同士が擦れ合うときの掻き落とし作用により導電性を保持する、いわゆるワイピング作用を良好に確保して接点部における清浄性を向上させるとともに、一方のコンタクトの弾性アーム部であって相手コネクタが接触する部位に形成した貫通孔の内周縁部に、傾斜面を有する面取り部を設けることで、一方のコンタクト上に落下したゴミ等の塵埃を、貫通穴の傾斜面取り部から貫通孔を通して外方に排出させ、かつ相手コネクタに対して貫通穴の内周縁部を対角線方向の両側から接触させて相手コネクタとコンタクトとの接触性を高めるように構成したものであるから、簡易な構成で、大型化を回避しつつ、使用耐久性を高めるとともに、内部に侵入した塵埃による電気的な接続不良の発生を良好に防止することができ、スイッチ付同軸コネクタの信頼性を安価かつ大幅に高めることができる。
【図面の簡単な説明】
【００１９】
【図１】本発明の一実施形態にかかる回路検査スイッチを構成しているスイッチ付同軸コネクタの全体構造を正面上方側から見たときの外観斜視説明図である。
【図２】図１に示された本発明の一実施形態にかかるスイッチ付同軸コネクタの全体構造を正面下方側から見たときの外観斜視説明図である。
【図３】図１及び図２に示された本発明の一実施形態にかかるスイッチ付同軸コネクタの平面説明図である。
【図４】図１乃至図３に示された本発明の一実施形態にかかるスイッチ付同軸コネクタの正面説明図である。
【図５】図１乃至図４に示された本発明の一実施形態にかかるスイッチ付同軸コネクタに用いられている一方のコンタクトを正面上方側から見たときの外観斜視説明図である。
【図６】図５に示された一方のコンタクトを正面下方側から見たときの外観斜視説明図である。
【図７】図１乃至図４に示された本発明の一実施形態にかかるスイッチ付同軸コネクタに用いられている他方のコンタクトを正面上方側から見たときの外観斜視説明図である。
【図８】図７に示された他方のコンタクトを正面下方側から見たときの外観斜視説明図である。
【図９】図１乃至図４に示された本発明の一実施形態にかかるスイッチ付同軸コネクタに対して相手コネクタ（検査用プラグコネクタ）が挿入された状態を表した縦断面説明図である。
【図１０】図９の状態から相手コネクタ（検査用プラグコネクタ）を上方に向かって抜去する途中の状態を表した縦断面説明図である。
【図１１】図１０の状態から相手コネクタ（検査用プラグコネクタ）を上方に向かって更に抜去した状態を表した縦断面説明図である。
【図１２】図１０中のＡ部を拡大して表した部分縦断面説明図である。
【図１３】図１１中のＢ部を拡大して表した部分縦断面説明図である。
【発明を実施するための形態】
【００２０】
以下、本発明にかかるスイッチ付同軸コネクタを回路検査スイッチとして採用した実施形態を図面に基づいて詳細に説明する。
【００２１】
［回路検査スイッチの全体構造について］
各図に示された本発明の一実施形態にかかるスイッチ付同軸コネクタ１０は、図示を省略した印刷配線基板上に実装されるものであって、当該スイッチ付同軸コネクタ１０に対して、相手コネクタとしての検査用プラグコネクタ２０（図９〜図１１参照）が上方側から嵌合され、又は上方側に向かって抜出される構成になされている。すなわち、このスイッチ付同軸コネクタ１０の上方側に配置された検査用プラグコネクタ２０が、作業者の手で把持されながらスイッチ付同軸コネクタ１０に向かって下方側に適宜の力で押し込まれることによって、両コネクタ１０，２０同士が嵌合された装着状態になされる。また、その両コネクタ１０，２０の装着状態から、検査用プラグコネクタ２０を把持して上方側に適宜の力で引き上げることによって、当該検査用プラグコネクタ２０がスイッチ付同軸コネクタ１０から上方に離脱して抜出が行われる。
【００２２】
なお、上述した検査用プラグコネクタ２０は作業者の手で挿抜されることに限らず、機械によって自動的に挿抜されてもよい。以下においては、検査用プラグコネクタ２０の挿入方向及び抜出方向を、それぞれ「下方向」及び「上方向」とする。
【００２３】
このような回路検査スイッチの組立体を構成しているスイッチ付同軸コネクタ１０は、例えば携帯電話等の電子機器に設けられた電子回路基板（図示省略）上に半田付けにより実装されて使用され、その電子機器に設けられた電子回路を、例えば機器本体側とアンテナ側とを分断又は接続するように配置される。以下においては、電子回路基板が水平方向に延在しているものとして説明する。
【００２４】
［絶縁ハウジングの構成について］
ここで、上述したスイッチ付同軸コネクタ１０の本体部を構成している絶縁ハウジング１１は、プラスチック等の樹脂材を用いて例えばモールド成形されたものであって、平面略矩形状の板状部材からなるベース枠体部１１ａと、そのベース枠体部１１ａの上面中央部分に配置された挿入ガイド部１１ｂとを一体的に有している。
【００２５】
挿入ガイド部１１ｂは、上述したベース枠体部１１ａの上側表面から略円筒状をなして上方に立ち上がるように形成されている。この挿入ガイド部１１ｂの内周側表面は、略すり鉢状をなすように形成されており、当該挿入ガイド部１１ｂの上端縁部分に形成された円環状の外周縁部から、中心部分に相手挿入穴として設けられたプローブ挿入穴１１ｃの上面側開口部に向かって斜め下方に延在する傾斜ガイド面１１ｄが形成されている。この傾斜ガイド面１１ｄは、前述した検査用プラグコネクタ２０に設けられたプローブ２０ａをプローブ挿入穴１１ｃに向かって案内する機能を有するものであって、検査用プラグコネクタ２０のプローブ２０ａがプローブ挿入穴１１ｃの真上に配置されていない場合であっても、傾斜ガイド面１１ｄの傾斜面上にプローブ２０ａの先端部が当接されれば、プローブ２０ａの先端部が傾斜ガイド面１１ｄに沿って下方に滑り落ちるように移動され、プローブ挿入穴１１ｃまで円滑に案内されるようになっている。
【００２６】
相手コネクタ挿入穴として設けられたプローブ挿入穴１１ｃは、上述したように挿入ガイド部１１ｂの上端開口部からベース枠体部１１ａの中心軸に沿って下方に延出しており、絶縁ハウジング１１の正面と背面との間を略水平に貫通するように設けられたコンタクト挿入通路１１ｅに対して上方側から開口するように設けられている。このプローブ挿入穴１１ｃは、後述する一方のコンタクト１２の直上に位置するように配置されていて、検査用プラグコネクタ２０のプローブ２０ａを挿入可能とする内径を有する大きさの平面略円形状をなすように形成されている。また、当該プローブ挿入穴１１ｃの上面側開口部の周囲には、上述した挿入ガイド部１１ｂが略同心状をなすように配置されている。
【００２７】
また、絶縁ハウジング１１のベース枠体部１１ａには、当該ベース枠体部１１ａの中央部分を略水平に貫通するようにしてコンタクト挿入通路１１ｅが設けられており、そのコンタクト挿入通路１１ｅの正面側の開口部から、信号伝送用の第１コンタクト（一方のコンタクト）１２が、また、コンタクト挿入通路１１ｅの背面側の開口部から、信号伝送用の第２コンタクト（他方のコンタクト）１３が、当該コンタクト挿入通路１１ｅの内部にそれぞれ挿入されて取り付けられている。
【００２８】
［コンタクトの構成について］
すなわち、それらの信号伝送用の第１コンタクト（一方のコンタクト）１２、及び第２コンタクト（他方のコンタクト）１３は、上述した相手コネクタとしての検査用プラグコネクタ２０の挿入・抜去の方向（上下方向）に対して略直交する水平方向において、互いに対向するように配置されている。以下、これらの第１コンタクト１２及び第２コンタクト１３同士が対向する方向（水平方向）を、単に「コンタクト対向方向」と呼び、また各コンタクト１２，１３において、他方側のコンタクトに向かう方向を「前方」、その反対方向を「後方」とする。
【００２９】
これらの第１コンタクト１２及び第２コンタクト１３は、いわゆるコンタクト対を構成するものであって、絶縁ハウジング１１の正面・背面の各端面側からコンタクト挿入通路１１ｅの内部に向かって対面するように挿入された後に、それらの両コンタクト１２，１３同士が互いに弾性的に接触した状態（図１１参照）となるように取り付けられている。このときの両コンタクト１２，１３同士の接触状態は、後述するように検査用プラグコネクタ２０の嵌合によって解除されて離間状態に切り替えられる。
【００３０】
上述した第１コンタクト１２及び第２コンタクト１３は、共に可撓性を有する弾性アーム部１２ａ，１３ａを有している。このとき、一方の弾性アーム部１２ａは、後述するように固定状態に保持された支持基板１２ｂの前端縁部からそのまま前方に向かって片持ち状をなすように延出しているが、他方の弾性アーム部１３ａは、後述するように固定状態に保持された支持基板１３ｂの後端縁部から前方側に回り込むようにして片持ち状に延出している。これらの弾性アーム部１２ａ，１３ａの構造については後段において詳細に説明する。
【００３１】
支持基板１２ｂ，１３ｂは、特に図５〜図８に示されているように、略水平に延在する板状部材から形成されており、当該支持基板１２ｂ，１３ｂの両側縁部、すなわちコンタクト対向方向と直交する板幅方向の両端部からは、絶縁ハウジング１１に対する固定部としての固定片１２ｃ，１３ｃが、両側外方に向かって略水平に延出している。これらの固定片１２ｃ，１３ｃは、絶縁ハウジング１１の内壁面に溝状をなすように凹設された固定溝部に対して圧入される構成になされており、絶縁ハウジング１１に対する当該固定片１２ｃ，１３ｃの係合力によって、第１コンタクト１２，及び第２コンタクト１３の全体の保持が行われるようになっている。
【００３２】
また、上述した両固定片１２ｃ，１３ｃと支持基板１２ｂ，１３ｂとが一体的に連結されている両部材同士の連結境界部分には、コンタクト対向方向に沿って延在する切欠き部１２ｄ，１３ｄがそれぞれ形成されている。それらの切欠き部１２ｄ，１３ｄは、上述した弾性アーム部１２ａ，１３ａの根本部分から支持基板１２ｂ，１３ｂにかけて所定の長さだけ溝状に切り込むようにして形成されており、これらの切欠き部１２ｄ，１３ｄが設けられていることによって、固定片１２ｃ，１３ｃと支持基板１２ｂ，１３ｂとの連結境界部分が細幅状になされ、そのように細幅状になされた分、つまり切欠き部１２ｄ，１３ｄが備えている長さ分にわたって、後述する弾性アーム部１２ａ，１３ａのスパン長が実質的に拡大された構成になされている。
【００３３】
すなわち、本実施形態においては、第１コンタクト１２の弾性アーム部１２ａが、支持基板１２ｂにおける前方側の端縁部から、相手側の第２コンタクト１３に向かう方向である前方に向かって片持ち状をなすように延出する構成になされており、当該弾性アーム部１２ａの根本部分、つまり上述した支持基板１２ｂの前方側部分であって前記弾性アーム部１２ａの板幅方向の両側部分に設けられた切欠き部１２ｄ，１２ｄの溝長さにわたって、弾性アーム部１２ａの実質的なスパン長が拡大されるように構成されている。
【００３４】
これに対して、第２のコンタクト１３の弾性アーム部１３ａは、支持基板１３ｂの後方側端縁部であって後述する基板接続部１３ｅを挟んだ両側の外方部分から、一対のものが下方側に回り込んで延びる構成になされている。より具体的には、それら一対の弾性アーム部１３ａ，１３ａは、支持基板１３ｂの後方側端縁部から下方側に向かって略直角に折れ曲がって延びた後に、再び前方側に向かって略直角に折れ曲げられており、相手側の第１コンタクト１２に向かう前方側に向かって片持ち状に延出する構成になされている。そして、前記弾性アーム部１３ａの根本部分、つまり上述した支持基板１３ｂの後方側部分であって当該弾性アーム部１３ａの板幅方向の両側に設けられた切欠き部１３ｄ，１３ｄが備えている溝長さにわたって、弾性アーム部１３ａの実質的なスパン長が拡大されるように構成されている。
【００３５】
また、両支持基板１２ｂ，１３ｂの後端縁部分であって板幅方向の略中央部分には、下方側に向かって延出する基板接続部１２ｅ，１３ｅが一体に連結されている。それらの基板接続部１２ｅ，１３ｅは、支持基板１２ｂ，１３ｂの後端縁部分を略直角に折り曲げるようにして形成されており、その略直角下方への折り曲げ部分の下端部分から、コネクタ対向方向である前方側に向かって略水平に延出している。そして、これらの基板接続部１２ｅ，１３ｅの下面が、上述した印刷配線基板上に設けられた信号伝送用の導電路に半田接合されることで、電気コネクタの実装が行われるようになっている。
【００３６】
ここで、前述したように第１及び第２のコンタクト１２，１３を構成している弾性アーム部１２ａ，１３ａは、互いに近接する方向に突出する片持ち状の帯状バネ部材から形成されていて、そのうちの第１コンタクト１２の弾性アーム部１２ａは、支持基板１２ｂの前端縁部から相手側の第２コンタクト１３に向かって前方側に延出する構成になされている。これに対して、第２コンタクト１３の弾性アーム部１３ａは、支持基板１３ｂの後方側の端縁部から下方側に向かって略Ｕ字状に折曲げ形成された折返し部１３ａ１を介して相手側の第１コンタクト１２側に延出する構成になされている。
【００３７】
その点を具体的に説明すると、まず、第２コンタクト１３を構成している一対の弾性アーム部１３ａ，１３ａのそれぞれは、上述した折返し部１３ａ１，１３ａ１の下端部からコンタクト対向方向である前方側に向かって略直角に折り曲げられて、支持基板１３ｂの下方側領域を略水平に延びた後に、コンタクト対向方向に対して所定の傾斜角をなして斜め上方向に向かって延出しており、当該弾性アーム部１３ａの延出側の端縁部分が、上下方向の揺動端になされている。すなわち、これら一対の弾性アーム部１３ａ，１３ａは、その根本部分である支持基板１３ｂとの連結部分又はその近傍を支点とした弾性的な可撓性を有しており、前記支点を中心として上下方向に揺動される構成になされている。
【００３８】
このとき、上述した一対の弾性アーム部１３ａ，１３ａにおける揺動側の先端部分同士は、板幅方向において一体に連結された構成になされており、その一体に連結された弾性アーム部１３ａ，１３ａの揺動端部分には、第１コンタクト１２側に接触可能となるように突出する突状接点部１３ｆが設けられている。この第２コンタクト１３に設けられた突状接点部１３ｆは、後述する第１コンタクト１２の揺動先端部分に向かって、斜め下方に突出するように形成されていて、上述した一対の弾性アーム部１３ａ，１３ａ同士の連結方向に沿って延在するように設けられている。
【００３９】
一方、第１コンタクト１２の弾性アーム部１２ａには、支持基板１２ｂから前方側に向かって延出した直後に、斜め下方に向かって段差状をなすように折り曲げられたクランク部１２ａ１が設けられており、そのクランク部１２ａ１を介して、メインビーム部１２ａ２がコネクタ対向方向である前方側に向かって延出する構成になされている。このような弾性アーム部１２ａの全体は、上述した支持基板１２ｂとの連結境界部分又はその近傍を支点として弾性的な可撓性を有しており、前記支点を中心として上下方向に揺動される構成になされている。
【００４０】
この弾性アーム部１２ａに設けられたクランク部１２ａ１は、当該弾性アーム部１２ａの根本部分寄りの位置から斜め下方、すなわち前述した検査用プラグコネクタ（相手コネクタ）２０の挿入方向である下方側に対して傾斜した方向に折れ曲がるように延出しており、その斜め下方側の延出端である下端部から、検査用プラグコネクタ２０の挿入方向と反対方向である上方側に延出するように、再度、折れ曲がった後に、当該クランク部１２ａ１に繋がるメインビーム部１２ａ２が、斜め上方に延出する構成になされている。このような下降段差を形成するクランク部１２ａ１が、弾性アーム部１２ａの根本部分に設けられていることにより、当該弾性アーム部１２ａにおける弾性が高められ、相手コネクタである検査用プラグコネクタ２０の押圧力に対する第１コンタクト１２ａ全体の弾性が向上されるようになっている。
【００４１】
さらに、この第１コンタクト１２に設けられたクランク部１２ａ１の下端部からは、メインビーム部１２ａ２が斜め上方に延出している。そのメインビーム部１２ａ２は、コンタクト対向方向である前方側に向かって略直線状に延在しており、細幅をなすように形成された当該メインビーム部１２ａ２の延出側先端部分に、相手側の第２コンタクト１３に接触可能な接点部が設けられている。この接点部を有する第１コンタクト１２ａの先端部分は、コンタクト対向方向（水平方向）に対して下方向に傾斜して延出していて、当該第１コンタクト１２ａに設けられた接点部が、上述した第２のコンタクト１２ａの突状接点部１３ｆに対して下方側から接触可能な配置関係になされている。
【００４２】
このように、接点部がそれぞれ設けられている両コンタクト１２，１３の先端部分同士は、互いに略平行となる方向に傾斜して延在する構成になされていて、第１コンタクト１２がコンタクト対向方向に対して斜め下方向に向かって延出しているとともに、第２コンタクト１３が斜め上方に向かって延出しており、これらの両コンタクト１２，１３に設けられた両接点部同士が、それぞれの弾性アーム部１２ａ，１３ａの弾性付勢力によって弾性的な接触が行われる構成になされている。
【００４３】
このように本実施形態においては、接点部を有する第１及び第２の一対のコンタクト１２，１３の揺動側の先端部分同士が互いに略平行となるように延在しているため、検査用プラグコネクタ２０の挿入・離脱時に、第１及び第２のコンタクト１２，１３の双方に設けられた接点部同士が接触する際に、当該両接点部同士の摺動距離が長く保持されることとなる。第１及び第２のコンタクト１２，１３の接触・離間については後述するが、具体的には、図１２に示すように、検査用プラグコネクタ２０のプローブ２０ａが上昇して第１コンタクト１２の先端部に設けられた接点部と第２コンタクト１３の突状接点部１３ｆとが接触を開始する状態から、図１３に示す、両コンタクト１２，１３の弾性変位がつりあう状態まで接点部同士が摺動する。従って、両接点部同士が擦れ合うときの掻き落とし作用で導電性を保持する、いわゆるワイピング作用が良好に確保されることとなって接点部の清浄性が向上され、電気的な接触状態が良好に維持される。
【００４４】
また、接点部を有する両コンタクト１２，１３の先端部分が、コンタクト対向方向に対して傾斜する方向に延在していることから、接点部又はその近傍に発生又は付着したゴミ等の塵埃が傾斜面に沿って移動しやすくなっており、接点部の接続性を害する塵埃の滞留状態が低減される。
【００４５】
特に、本実施形態においては、両コンタクト１２，１３に設けられた接点部の一方である第２コンタクト１３に設けられた突状接点部１３ｆが、他方の第１コンタクト１２側の接点部に向かって突出するように形成されていることから、両接点部同士が擦れ合うときの掻き落とし作用が強化され、上述したワイピング作用が更に高められるようになっている。
【００４６】
ここで、第１コンタクト１２の弾性アーム部１２ａを構成しているメインビーム部１２ａ２は、前述したプローブ挿入穴１１ｃの直下位置を通過するように延在しており、プローブ挿入穴１１ｃの下端開口部が、メインビーム部１２ａ２の途中部分に上方側から臨む配置関係になされている。そして、特に図９〜図１１に示されているように、検査用プラグコネクタ２０が上方側から嵌合されることにより、当該検査用プラグコネクタ２０のプローブ２０ａがプローブ挿入穴１１ｃを通してコネクタ内部に挿入されると、プローブ挿入穴１１ｃから下方に突出したプローブ２０ａの下端部分が、第１コンタクト１２の弾性アーム部１２ａを構成しているメインビーム部１２ａ３の途中部分に上方側から当接する。さらに、その当接状態から検査用プラグコネクタ２０が下方に押し下げられると、第１コンタクト１２の弾性アーム部１２ａがプローブ２０ａの押圧力によって下方に弾性変位され、当該第１コンタクト１２側の接点部が、第２コンタクト１３側の接点部から下方に離間されるようになっている。検査用プラグコネクタ２０がさらに下方へ押し下げられ、プローブ２０ａが最下点に達すると、図９に示すように、第１コンタクト１２の弾性アーム部１２ａは、ベース枠体部１１ａに設けられたコンタクト挿入通路１１ｅの底壁面に当接する。これにより、第１コンタクト１２の弾性アーム部１２ａの過大変位が防止されて、第１コンタクト１２の弾性アーム部１２ａの塑性変形を抑制することが可能となる。
【００４７】
このとき、第１コンタクト１２の弾性アーム部１２ａを構成しているメインビーム部１２ａ２の途中位置、すなわち検査用プラグコネクタ２０のプローブ２０ａが当接する位置には、当該検査用プラグコネクタ２０のプローブ２０ａが上方側から接触する貫通穴１２ａ３がスリット状をなすように形成されている。この貫通穴１２ａ３は、メインビーム部１２ａ２の長手方向に沿って細長状に延在する長穴から形成されており、上述したプローブ挿入穴１１ｃの直下位置から前後の両方向に延在するように設けられている。
【００４８】
このように第１コンタクト１２の弾性アーム部１２ａを構成しているメインビーム部１２ａ２に貫通穴１２ａ３を設けておけば、検査用プラグコネクタ２０が嵌合されていないときに開放状態にあるプローブ挿入穴（相手挿入穴）１１ｃを通して内部に進入するゴミ等の塵埃が、特にメインビーム部１２ａ２の傾斜面に沿って下方に案内されていき、貫通穴１２ａ３を通して排出される。その結果、第１コンタクト１２や第２コンタクト１３の上に塵埃が蓄積することがなくなり、第１コンタクト１２と第２コンタクト１３との電気的な導通性が塵埃により妨げられるおそれが低減される。
【００４９】
また、上述した貫通穴１２ａ３の開口縁部には、検査用プラグコネクタ２０のプローブ２０ａに接触する傾斜面からなる面取り部が設けられており、当該貫通穴１２ａ３の開口縁部が、検査用プラグコネクタ２０のプローブ２０ａの先端側部分に形成された湾曲面に対して面状に接触し、当該貫通穴１２ａ３の対角線方向の両側からプローブ２０ａと多点的に当接されるようになっている。
【００５０】
このような傾斜面からなる面取り部を備えた構成としておけば、検査用コネクタ２０のプローブ２０ａと第１コンタクト１２との電気的な接続が良好に行われるとともに、貫通穴１２ａ３を通して排出される塵埃が、貫通穴１２ａ３の傾斜面によって円滑に案内される。また、検査用コネクタ２０のプローブ２０ａが第１コンタクト１２の弾性アーム部１２ａに接触した際の応力が、第１コンタクト１２の固定片１２ｃの一部に集中することなく分散されることとなり、第１コンタクト１２の使用耐久性が向上される。
【００５１】
［導電性シェルについて］
一方、図１〜図４にも示されているように、上述した絶縁ハウジング１１の上面側表面には、薄板状の導電性部材からなる導電性シェル１４が上方側から覆うようにして装着されている。この導電性シェル１４は、絶縁ハウジング１１の上面側から挿入ガイド部１１ｂの外周面の一部を覆うように装着されているが、この導電性シェル１４が絶縁ハウジング１１の上面側表面を覆っている上面基板１４ａが平面略矩形状をなすように形成されている。
【００５２】
その導電性シェル１４における略矩形状をなす上面基板１４ａの中央部分には、上述した絶縁ハウジング１１の挿入ガイド部１１ｂを外方側から覆うグランド端子部１４ｂが略中空円筒状をなすようにして一体に設けられている。このグランド端子部１４ｂの外周表面には、円環状をなす固定係止溝１４ｃが凹設されており、その固定係止溝１４ｃに対して、前述した検査用プラグコネクタ２０の導電性シェルに設けられた係合突部２０ｂが嵌め込まれ、それによってスイッチ付同軸コネクタ１０に検査用プラグコネクタ２０が適宜の嵌合力で連結された状態に維持されるようになっている。
【００５３】
また、上述した導電性シェル１４の上面基板１４ａにおける略矩形状の四隅部分には、下方に向かって垂れ下がるように延在する基板接続部１４ｄがそれぞれ連設されている。それら４体の基板接続部１４ｄのうち、前述した第１コンタクト１２と第２コンタクト１３との対向方向に隣接する２体の基板接続部１４ｄ，１４ｄ同士は、一体的に連結されていて、それら一体連結された一方側の基板接続部１４ｄ，１４ｄと、他方側の基板接続部１４ｄ，１４ｄとが、第１コンタクト１２と第２コンタクト１３とからなるコンタクト対を両側から挟むように配置されている。そして、それらの各基板接続部１４ｄの先端部分を形成する半田接合片１４ｆが、図示を省略した印刷配線基板上のグランド用導電路に半田接合されることによって、グランド接続が行われるとともに、スイッチ付同軸コネクタ１０の全体の保持が行われるようになっている。
【００５４】
このとき、それらの各基板接続部１４ｄは、上述した上面基板１４ａの端縁から下方に向かって湾曲形状をなすように延在しており、２体の基板接続部１４ｄ，１４ｄ同士の連結方向と直交する方向における横断面形状が、略Ｓ字又は略Ｚ字形状をなすように湾曲形成されている。
【００５５】
この導電性シェル１４に設けられた基板接続部１４ｄの形状を具体的に説明すると、当該基板接続部１４ｄは、上述した上面基板１４ａの端縁からコネクタ内方側に向かって斜め下方に窪むように延出する逆テーパ状の傾斜壁面を有しているとともに、その傾斜壁面の下端部から、再びコネクタ外方に向かって略水平に突出する水平壁面を有している。そして、その基板接続部１４ｄに設けられた逆テーパ状の傾斜壁面と水平壁面とによって、前述した第２コンタクト１３及び第１コンタクト１２側に向かって窪む凹部１４ｅが画成されており、当該凹部１４ｅが、基板接続部１４ｄに窪むように設けられた構成になされている。また、上述した基板接続部１４ｄの水平壁面によって、印刷配線基板上に半田接合される半田接合片１４ｆが形成された構成になされている。
【００５６】
このように基板接続部１４ｄに凹部１４ｅを窪ませるようにして設けておけば、導電性シェル１４の基板接続部１４ｄに対して使用した半田材の余剰分やフラックスが、基板接続部１４ｄや導電性シェル１４の他の壁面に沿って這い上がろうとしても、その這い上がろうとする半田材の余剰分やフラックスが凹部１４ｅの内部に蓄えられる。また、その凹部１４ｅの壁面を構成する逆テーパ状の傾斜壁面によって、半田材やフラックスの這い上がり作用力が低減されることとなる。さらに、当該凹部１４ｅの壁面が湾曲状に延在していることによって、半田材及びフラックスの這い上がり長さが延長されることとなり、いわゆる半田上がりが良好に防止されて、電気的な導通状態への影響が大幅に低減される。
【００５７】
また、本実施形態にかかる導電性シェル１４の基板接続部１４ｄには、前述したように凹部１４ｅからコネクタ外方に向かって延出する半田接合片１４ｆを有していることから、基板接続部１４ｄの半田接合片１４ｆに対する半田材の接合状態が、作業者によって直ちに目視されることとなって作業効率が向上される。
【００５８】
このとき、本実施形態にかかる半田接合片１４ｆの先端部は、上述した導電性シェル１４の最大外形である上面基板１４ａの幅方向寸法と同一か、ややコネクタ内方側に位置している。このような構成によって、当該半田接合片１４ｆに対する半田付け作業に支障を与えることなく全体の小型化が可能となっている。
【００５９】
以上、本発明者によってなされた発明を実施形態に基づき具体的に説明したが、本実施形態は上述した実施形態に限定されるものではなく、その要旨を逸脱しない範囲で種々変形可能であるというのはいうまでもない。
【００６０】
例えば、上述した実施形態においては、クランク部を第１コンタクトのみに設けているが、他方又は双方のコンタクトに設けるようにしても良い。
【００６１】
また、上述した実施形態においては、第１コンタクトに貫通穴を設けているが、全体の配置関係に応じて、第２コンタクトに貫通穴を設けるようにしても良い。
【００６２】
さらに、本発明は、上述した実施形態のような回路検査スイッチ以外の用途に用いられるスイッチ付同軸コネクタに対しても同様に適用可能である。
【産業上の利用可能性】
【００６３】
以上のように本発明は、各種電子・電気機器に使用される多種多様なスイッチ付同軸コネクタに対して広く適用することが可能である。
【符号の説明】
【００６４】
１０  スイッチ付同軸コネクタ
１１  絶縁ハウジング
１１ａ  ベース枠体部
１１ｂ  挿入ガイド部
１１ｃ  プローブ挿入穴（相手コネクタ挿入穴）
１１ｄ  傾斜ガイド面
１１ｅ  コンタクト挿入通路
１２  第１コンタクト（一方のコンタクト）
１２ａ  弾性アーム部
１２ａ１  クランク部
１２ａ２  メインビーム部
１２ａ３  貫通穴
１２ｂ  支持基板
１２ｃ  固定片
１２ｄ  切欠き部
１２ｅ  基板接続部
１３  第２コンタクト（他方のコンタクト）
１３ａ  弾性アーム部
１３ａ１  折返し部
１３ｂ  支持基板
１３ｃ  固定片
１３ｄ  切欠き部
１３ｅ  基板接続部
１３ｆ  突状接点部
１４  導電性シェル
１４ａ  上面基板
１４ｂ  グランド端子部
１４ｃ  固定係止溝
１４ｄ  基板接続部
１４ｅ  凹部
１４ｆ  半田接合片
２０  検査用プラグコネクタ（相手コネクタ）
２０ａ  プローブ
２０ｂ  係合突部
【図１】
0005929232.tif 000002
【図２】
0005929232.tif 000003
【図３】
0005929232.tif 000004
【図４】
0005929232.tif 000005
【図５】
0005929232.tif 000006
【図６】
0005929232.tif 000007
【図７】
0005929232.tif 000008
【図８】
0005929232.tif 000009
【図９】
0005929232.tif 000010
【図１０】
0005929232.tif 000011
【図１１】
0005929232.tif 000012
【図１２】
0005929232.tif 000013
【図１３】
0005929232.tif 000014